(57)【要約】【課題】Ｔ溝が形成された２つの被締結部材を長手方向に強固に締結し、締結具が外部に突出しないようにすること。【解決手段】それぞれ突合せ面４，９に開口して長手方向に延びる係合溝３ａ，８ａを形成した２つの被締結部材１，６をそれぞれの係合溝３ａ，８ａが連なり合うように相互に突き合わせて配置する。それぞれの係合溝３ａ，８ａに止めネジ１５，１６の先端部が突合せ面４，９を向く方向に傾斜させたネジ孔１３，１４を有する長手方向締結具１１を挿入する。ネジ取付用開口溝３ｂ，８ｂに締結工具を挿入し、止めネジ１５，１６をネジ孔１３，１４に取り付ける。止めネジ１５，１６の締結力の一部は２つの被締結部材１，６を相互に突き合わせる方向の押し付け力となり、２つの被締結部材１，６を強固に締結する。長手方向締結具１１および止めネジ１５，１６は外部に突出することはない。【選択図】    図１
2006183674.tif 000002
【特許請求の範囲】
【請求項１】
それぞれ突合せ面に開口して長手方向に延びる係合溝が形成された第１と第２の被締結部材と、
それぞれの突合せ面を横断して前記第１と第２の被締結部材の係合溝に挿入され、第１と第２のネジ孔が形成された締結具本体と、
それぞれ前記係合溝に連通して前記第１と第２の被締結部材に形成された取付用開口溝を貫通して前記第１と第２のネジ孔にそれぞれネジ結合される第１と第２の止めネジとを有し、
前記第１と第２の止めネジの少なくともいずれか一方の先端が前記突合せ面に向かうように前記第１と第２のネジ孔の少なくともいずれか一方を傾斜させ、前記第１と第２の止めネジにより前記第１と第２の被締結部材に相互に突き合わせる方向の押し付け力を加えることを特徴とする長手方向締結組立体。
【請求項２】
請求項１記載の長手方向締結組立体であって、前記係合溝の底面の前記第１と第２のネジ孔に対応する位置に凹形状のネジ受け凹部をそれぞれ形成したことを特徴とする長手方向締結組立体。
【請求項３】
それぞれ突合せ面に開口して長手方向に延びる係合溝が形成された第１と第２の被締結部材において、それぞれの当該係合溝が連なり合うようにそれぞれの突合せ面を相互に突き合わせた状態のもとで締結する長手方向締結具であって、
それぞれの突合せ面を横断して前記第１と第２の被締結部材の係合溝に挿入され、第１と第２のネジ孔が形成された締結具本体を有し、
それぞれ前記係合溝に連通して前記第１と第２の被締結部材に形成されたネジ取付用開口溝を貫通して前記第１と第２のネジ孔にそれぞれネジ結合される第１と第２の止めネジの少なくともいずれか一方により前記第１と第２の被締結部材に相互に突き合わせる方向の押し付け力を加えるように前記第１と第２のネジ孔の少なくともいずれか一方を傾斜して形成したことを特徴とする長手方向締結具。
【請求項４】
請求項３記載の長手方向締結具であって、前記係合溝の底面の前記第１と第２のネジ孔に対応する位置に凹形状のネジ受け凹部をそれぞれ形成したことを特徴とする長手方向締結具。
【請求項５】
請求項３または４に記載の長手方向締結具であって、前記第１と第２のネジ孔をそれぞれに少なくとも１つ以上設けて、そのそれぞれにネジ結合される複数の前記第１と第２の止めネジにより前記第１と第２の被締結部材に相互に突き合わせる方向の押し付け力を加えることを特徴とする長手方向締結具。
【請求項６】
請求項３〜５のいずれか１項に記載の長手方向締結具であって、当該長手方向締結具の両端面の少なくともいずれか一方は前記ネジ孔が少なくとも１つ以上形成された長手方向に傾斜する傾斜面であることを特徴とする長手方向締結具。
【請求項７】
それぞれ突合せ面に開口して長手方向に延びる係合溝が形成された第１と第２の被締結部材において、それぞれの当該係合溝が連なり合うようにそれぞれの突合せ面を相互に突き合わせて配置する第１工程と、
第１と第２のネジ孔が形成された締結具本体であって、前記第１と第２のネジ孔にそれぞれネジ結合される第１と第２の止めネジの少なくともいずれか一方の先端が前記突合せ面に向かうように前記第１と第２のネジ孔の少なくともいずれか一方を傾斜させた長手方向締結具を、それぞれの突合せ面を横断して前記第１と第２の被締結部材の係合溝に挿入する第２工程と、
それぞれ前記係合溝に連通して前記第１と第２の被締結部材に形成されたネジ取付用開口溝を貫通して前記第１および第２のネジ孔にそれぞれネジ結合される第１と第２の止めネジとを挿入して締結する第３工程とを有し、
前記第１と第２の止めネジにより前記第１と第２の被締結部材に相互に突き合わせる方向の押し付け力を加えることを特徴とする長手方向締結方法。
【請求項８】
請求項７記載の長手方向締結方法であって、前記係合溝の底面の前記第１と第２のネジ孔に対応する位置に凹形状のネジ受け凹部をそれぞれ形成したことを特徴とする長手方向締結方法。
【発明の詳細な説明】
【０００１】
【発明の属する技術分野】
本発明は、２つの被締結部材を長手方向に締結する長手方向締結具、長手方向締結組立体およびその締結方法に関する。
【０００２】
【従来の技術】
２つの被締結部材を長手方向に締結する手段としては、接着継手やリベット継手などがあり、特に、被締結部材同士を着脱自在に締結する手段としては、ピンやコッタ、止め輪などの締結金具を利用したものがある。また、２つの被締結部材の端面同士を突き合わせて締結するにしても、その突き合わせ方は多様であり、単純突合せ、二重突合せ、そぎ継、片面又は両面当て板継などがある。かりに、Ｔ溝が形成された被締結部材を長手方向に着脱自在かつ強固に締結したい場合を考える。このとき、従来の技術によれば、締結金具を利用して着脱自在としたり、締結金具取付孔を有する当て金を被締結部材の両側面に装着して強固な締結とすることが考えられる。このような長手方向に締結する手段は、例えば、非特許文献１に体系的に整理されている。
【０００３】
【非特許文献１】
社団法人日本機械学会、機械工学便覧Ａ基礎編、株式会社丸善発行、１９８７年、Ｂ１−８１頁〜Ｂ１−１０１頁
【０００４】
【発明が解決しようとする課題】
しかしながら、このような手段で締結された被締結部材は設置箇所が制限されるところでは使用できない場合がある。なぜなら、従来の締結金具や当て金を用いる手段で被締結部材を締結すると、これらの一部または全部が被締結部材の外側に突出してしまい設置の妨げとなるからである。このような問題は、装置の小型化や生産設備の省スペース化が進展するなかで、特に解決されるべき課題となっている。
【０００５】
本発明の目的は、Ｔ溝が形成された２つの被締結部材を長手方向に締結するに際して、表面に出っ張り部分を作ること無く、着脱自在かつ強固に締結することにある。
【０００６】
【課題を解決するための手段】
本発明の長手方向締結組立体は、それぞれ突合せ面に開口して長手方向に延びる係合溝が形成された第１と第２の被締結部材と、それぞれの突合せ面を横断して前記第１と第２の被締結部材の係合溝に挿入され、第１と第２のネジ孔が形成された締結具本体と、それぞれ前記係合溝に連通して前記第１と第２の被締結部材に形成された取付用開口溝を貫通して前記第１と第２のネジ孔にそれぞれネジ結合される第１と第２の止めネジとを有し、前記第１と第２の止めネジの少なくともいずれか一方の先端が前記突合せ面に向かうように前記第１と第２のネジ孔の少なくともいずれか一方を傾斜させ、前記第１と第２の止めネジにより前記第１と第２の被締結部材に相互に突き合わせる方向の押し付け力を加えることを特徴とする。
【０００７】
本発明の長手方向締結組立体は、前記係合溝の底面の前記第１と第２のネジ孔に対応する位置に凹形状のネジ受け凹部をそれぞれ形成したことを特徴とする。
【０００８】
本発明の長手方向締結具は、それぞれ突合せ面に開口して長手方向に延びる係合溝が形成された第１と第２の被締結部材において、それぞれの当該係合溝が連なり合うようにそれぞれの突合せ面を相互に突き合わせた状態のもとで締結する長手方向締結具であって、それぞれの突合せ面を横断して前記第１と第２の被締結部材の係合溝に挿入され、第１と第２のネジ孔が形成された締結具本体を有し、それぞれ前記係合溝に連通して前記第１と第２の被締結部材に形成されたネジ取付用開口溝を貫通して前記第１と第２のネジ孔にそれぞれネジ結合される第１と第２の止めネジの少なくともいずれか一方により前記第１と第２の被締結部材に相互に突き合わせる方向の押し付け力を加えるように前記第１と第２のネジ孔の少なくともいずれか一方を傾斜して形成したことを特徴とする。
【０００９】
本発明の長手方向締結具は、前記係合溝の底面の前記第１と第２のネジ孔に対応する位置に凹形状のネジ受け凹部をそれぞれ形成したことを特徴とする。
【００１０】
本発明の長手方向締結具は、前記第１と第２のネジ孔をそれぞれに少なくとも１つ以上設けて、そのそれぞれにネジ結合される複数の前記第１と第２の止めネジにより前記第１と第２の被締結部材に相互に突き合わせる方向の押し付け力を加えることを特徴とする。
【００１１】
本発明の長手方向締結具は、当該長手方向締結具の両端面の少なくともいずれか一方は前記ネジ孔が少なくとも１つ以上形成された長手方向に傾斜する傾斜面であることを特徴とする。
【００１２】
本発明の長手方向締結方法は、それぞれ突合せ面に開口して長手方向に延びる係合溝が形成された第１と第２の被締結部材において、それぞれの当該係合溝が連なり合うようにそれぞれの突合せ面を相互に突き合わせて配置する第１工程と、第１と第２のネジ孔が形成された締結具本体であって、前記第１と第２のネジ孔にそれぞれネジ結合される第１と第２の止めネジの少なくともいずれか一方の先端が前記突合せ面に向かうように前記第１と第２のネジ孔の少なくともいずれか一方を傾斜させた長手方向締結具を、それぞれの突合せ面を横断して前記第１と第２の被締結部材の係合溝に挿入する第２工程と、それぞれ前記係合溝に連通して前記第１と第２の被締結部材に形成されたネジ取付用開口溝を貫通して前記第１および第２のネジ孔にそれぞれネジ結合される第１と第２の止めネジとを挿入して締結する第３工程とを有し、前記第１と第２の止めネジにより前記第１と第２の被締結部材に相互に突き合わせる方向の押し付け力を加えることを特徴とする。
【００１３】
本発明の長手方向締結方法は、前記係合溝の底面の前記第１と第２のネジ孔に対応する位置に凹形状のネジ受け凹部をそれぞれ形成したことを特徴とする。
【００１４】
【発明の実施の形態】
以下、本発明の実施の形態を図面に基づいて詳細に説明する。
【００１５】
図１は本発明の長手方向締結組立体を構成する各構成部品の締結状態説明図である。図１に示すように、第１の被締結部材１は全体的にほぼ直方体形状のブロック２から構成され、ブロック２の上下左右の各外周側面には、それぞれの側面に沿って真っ直ぐに延びるＴ溝３が長手方向全体に形成されている。このうち、第１の被締結部材１に形成されたＴ溝３は、幅がＷａの係合溝３ａと当該係合溝３ａに連なってこれを外部に連通させる幅Ｗｂのネジ取付用開口溝３ｂとを有しており、幅Ｗｂは幅Ｗａよりも小さく設定されている。係合溝３ａの深さはＤａとなっており、ネジ取付用開口溝３ｂの深さはＤｂとなっている。このようなＴ溝３は第１の被締結部材１の突合せ面４に開口して形成されている。さらに、図示するように、係合溝３ａの底面の所定の位置に凹形状にネジ受け凹部５を形成して、ネジ受け凹部５に挿入されるネジの運動を拘束しても良い。
【００１６】
一方、第２の被締結部材６は全体的にほぼ直方体形状のブロック７から構成され、ブロック７の上下左右の各外周側面には第１の被締結部材１に形成されたＴ溝３と同一寸法形状のＴ溝８がそれぞれの側面に形成されている。これらのＴ溝８は、突合せ面９に開口している。このとき、図示するように、係合溝８ａの底面の所定の位置に、凹形状にネジ受け凹部１０を形成しても良い。
【００１７】
図１に示すように、第１の被締結部材１と第２の被締結部材６は、それぞれの突合せ面４，９に開口したＴ溝３，８が突き合わせた状態で連通するように対向して配置されている。図１には、このような開口部からそれぞれの係合溝３ａ，８ａに挿入される締結具として、ほぼ直方体形状のプレートから構成された長手方向締結具１１が示されている。この長手方向締結具１１はそれぞれの係合溝３ａ，８ａに挿入可能なように、それぞれの係合溝３ａ，８ａの幅寸法Ｗａおよび深さ寸法Ｄａよりも小さな断面形状に形成されている。また、長手方向に延びて形成される締結面１２上には第１のネジ孔１３と第２のネジ孔１４が形成されている。そして、長手方向締結具１１をそれぞれの係合溝３ａ，８ａに挿入後、第１と第２のネジ孔１３，１４に止めネジ１５，１６をそれぞれ取り付け可能とするために、第１と第２の被締結部材１，６にはそれぞれの係合溝３ａ，８ａに連通するネジ取付用開口溝３ｂ，８ｂが形成されている。したがって、このような長手方向締結具１１をそれぞれの突合せ面４，９を横断してそれぞれの係合溝３ａ，８ａ内に挿入した後、ネジ取付用開口溝３ｂ，８ｂに取付工具を挿入して第１と第２のネジ孔１３，１４のそれぞれに第１の止めネジ１５と第２の止めネジ１６をネジ結合すると、第１の止めネジ１５の先端部および第２の止めネジ１６の先端部は、第１と第２の被締結部材１，６との摩擦により係止されるか、または止めネジ１５，１６の先端が第１と第２のそれぞれの被締結部材１，６に食い込んで係止される。また、ネジ受け凹部５，１０が形成される場合には、そのネジ受け凹部５，１０に入り込むことになる。
【００１８】
本発明の長手方向締結具１１にあっては、第１と第２の止めネジ１５，１６の少なくともいずれか一方の先端が締結状態で突合せ面４，９に向かうようにネジ孔１３，１４の少なくともいずれか一方を傾斜して形成している。図１に示す長手方向締結具１１にあっては、第１と第２の止めネジ１５，１６の双方ともが締結状態で突合せ面４，９に向かうように第１と第２のネジ孔１３，１４が傾斜して形成してある。傾斜して形成されたネジ孔１３，１４に止めネジ１５，１６を取り付ける際には、当然に止めネジ１５，１６も傾斜方向から挿入する必要があり、その方向が図１においては破線で示されている。なお、本発明の長手方向締結具１１にあっては、取り付けられる止めネジ１５，１６の先端が突合せ面４，９を向くように傾斜して形成されたネジ孔１３，１４以外のネジ孔は突合せ面に平行な方向に形成されることになる。
【００１９】
つぎに、上述の構成を有する長手方向締結具１１および第１と第２の止めネジ１５，１６を用いて第１と第２の被締結部材１，６を長手方向に締結するための締結方法について述べる。
【００２０】
はじめに、第１の被締結部材１および第２の被締結部材６のそれぞれの突合せ面４，９に開口して形成される係合溝３ａ，８ａが突き合わせた状態で連通する向きに第１の被締結部材１および第２の被締結部材６を対向して配置する。つぎに、本発明の長手方向締結具１１を第１と第２の被締結部材１，６のそれぞれの係合溝３ａ，８ａに挿入し、被締結部材１，６のそれぞれの突合せ面４，９同士を相互に突き当てる。つぎに、ネジ取付用開口溝３ｂ，８ｂに取付工具を挿入して、長手方向締結具１１の締結面１２に形成されたネジ孔１３，１４に止めネジ１５，１６を締結する。そうすると、ネジ孔１３，１４は挿入される止めネジ１５，１６先端部が突合せ面４，９を向くように傾斜して形成されていることから、止めネジ１５，１６を介して伝達される締結力の長手方向の分力は２つの被締結部材１，６を相互に突き当てる方向の押し付け力として伝達される。
【００２１】
図２（Ａ）は本発明の長手方向締結具により２つの被締結部材を締結した状態を示す斜視図であって、（Ｂ）は（Ａ）のＡ−Ａ線に沿う方向の縦断面図である。図２（Ａ）および（Ｂ）に示されるように、本発明の長手方向締結具１１は２つの被締結部材１，６のそれぞれに形成された係合溝３ａ，８ａに挿入され、これらを締結する第１と第２の止めネジ１５，１６は長手方向締結具１１内に埋め込まれる。よって、本発明の長手方向締結具１１により２つの被締結部材１，６を締結した状態でも、被締結部材１，６の外周側面から第１と第２の止めネジ１５，１６が突出してしまうことがない。また、長手方向締結具１１の締結面１２に形成されたネジ孔１３，１４は挿入される止めネジ１５，１６先端部が突合せ面４，９を向くように傾斜して形成されており、止めネジ１５，１６を強い締結力で締め付けることにより、２つの被締結部材１，６を相互に突き当てる方向に強く押し付けることができる。図２（Ｂ）では、第１と第２の被締結部材１，６にはそれぞれにネジ受け凹部５，１０を設けているが、これを設けない場合でも止めネジ１５，１６の先端と第１と第２の被締結部材１，６との摩擦により、または止めネジ１５，１６の先端が第１と第２の被締結部材１，６に食い込むことにより同等の効果が得られる。
【００２２】
本発明の長手方向締結具１１は、Ｔ溝が形成された各外周側面ごとに挿入して締結することが可能である。図１および図２に示す第１と第２の被締結部材１，６には、長手方向に延びて突合せ面４，９に開口するＴ溝３，８が上下左右の各外周側面にそれぞれ形成されている。したがって、いずれのT溝３，８に本発明の長手方向締結具１１を挿入して第１と第２の被締結部材１，６を締結しても良く、図１および図２に示すように２箇所以上で締結すればより強固に締結できる。
【００２３】
本発明の長手方向締結具１１は、発明の要旨を逸脱しない範囲内において種々の実施形態の変更が可能である。たとえば、本発明の長手方向締結具１１に複数のネジ孔１３，１４を形成し、複数の止めネジ１５，１６を用いて締結するようにしても良い。図３は複数のネジ孔を形成した本発明の長手方向締結具により第１と第２の被締結部材を締結した状態を示す斜視図である。ただし、図１および図２に示した実施例と同一部品を使用するものには同一番号が付されている。このように、複数のネジ孔１３a，１３ｂ，１４ａ，１４ｂを形成して、複数の止めネジ１５a，１５ｂ，１６ａ，１６ｂを用いて第１と第２の被締結部材１，６をより強固に締結することも可能である。このとき、各ネジ孔１３a，１３ｂ，１４ａ，１４ｂの形成位置に対応して、第１と第２の被締結部材１，６の係合溝３ａ，８ａの底面に複数のネジ受け凹部５a，５ｂ，１０ａ，１０ｂを設けても良い。
【００２４】
ところで、図３に示すように、本発明の長手方向締結具１１により締結される第１と第２の被締結部材１，６のそれぞれに形成されるネジ取付用開口溝３ｂ，８ｂは必ずしも長手方向に連続して開口している必要はない。図３に示す第２の被締結部材６にあっては、ネジ取付用開口部１７ａ，１７ｂが長手方向締結具１１ｂに形成されたネジ孔１４ａ，１４ｂに対応してそれぞれ形成されている。このようにそれぞれのネジ孔１４ａ，１４ｂに止めネジ１６ａ，１６ｂを挿入するのに必要十分な開口部を設ける場合には、被締結部材６全体の剛性を向上させることができる。
【００２５】
また、本発明の長手方向締結具１１の端面を傾斜面１８とすることも可能である。図４は本発明の長手方向締結具により第１と第２の被締結部材を締結した状態を示す斜視図であって、特に（Ａ）は組立て状態を示す斜視図であり、（Ｂ）は（Ａ）のＡ−Ａ線に沿う方向の縦断面図である。ただし、図１および図２に示した実施例と同一部品を使用するものには同一番号が付されている。このように、長手方向締結具１１ｃの端面を傾斜面１８とする場合には、第１と第２の被締結部材１，６に形成された係合溝３ａ，８ａへの長手方向締結具１１ｃの挿入が容易になる。また、傾斜面１８にネジ孔１３，１４を形成するようにすれば、止めネジ１５，１６の締結作業が容易となる。
【００２６】
ところで、図４に示すように、本発明の長手方向締結具１１ｃには開口部挿入片１９を設けるようにしても良い。この開口部挿入片１９は、長手方向締結具１１ｃのうちネジ取付用開口溝３ｂ，８ｂに挿入される部分であって、ネジ取付用開口溝３ｂ，８ｂよりも小さな幅寸法と、外周側面から突出しない程度の深さ寸法を有している。このような開口部挿入片１９を設け、この開口部挿入片１９にネジ孔１３，１４を形成することにより、止めネジ１５，１６の嵌め合い長さを大きく取ることができ、より強固な締結が可能となる。また、ネジ取付用開口溝３ｂ，８ｂに締結工具を挿入して止めネジ１５，１６を締結する場合に比べて止めネジ１５，１６の装着が容易となる。
【００２７】
本発明の長手方向締結具、長手方向締結組立体およびその締結方法によれば、第１と第２の被締結部材１，６にＴ溝加工を施しさえすれば被締結部材１，６同士を長手方向に相互に締結できることから、その広範な用途が見出される。たとえば、鋼管やガイドレール、マニホールドなどの部材外周側面にＴ溝を設けることで、これらの部材を長手方向に延長する際に本発明を適用することができる。
【００２８】
図５（Ａ）は、Ｔ溝が形成された２つの被締結部材を長手方向に締結するのに、従来の締結手段の1つにより締結した場合の締結状態説明図であり、（Ｂ）は（Ａ）のＡ−Ａ線に沿う方向の縦断面図である。図示するように、従来の締結手段の１つには、第１と第２の被締結部材２０，２１を横断するようにそれぞれの外周側面２２，２３に取り付けられる締結金具取付孔２４が形成された当て金２５と係合溝２６，２７に挿入される金具２８とで被締結部材２０，２１同士を挟み込むようにして締結するというものがある。しかしながら、このような締結方法では、被締結部材２０，２１の外周側面から金具２８や六角ボルト（又は六角穴付きボルト）２９の一部または全部が突出することになり、デッドスペースを生じる原因となっていた。また、六角ボルト（又は六角穴付きボルト）２９の締結力は２つの被締結部材２０，２１を相互に突き当てる方向の押し付け力として作用しないという欠点があった。
【００２９】
【発明の効果】
本発明によれば、Ｔ溝が形成された被締結部材の端面同士を外周側面から締結金具が飛び出すことなく締結することができる。被締結部材同士の締結によるデッドスペースが生じないので、被締結部材の設置空間が制限されている場所でも部材の締結を行うことができ、締結後に他の部材と干渉し合うこともない。
【００３０】
また、傾斜して形成されたネジ孔に止めネジをネジ結合して被締結部材同士を締結しているので、被締結部材同士を相互に突き当てる方向に押し付け力を加えることができる。
【図面の簡単な説明】
【図１】本発明の長手方向締結組立体を構成する各構成部品の締結状態説明図である。
【図２】（Ａ）は本発明の長手方向締結具により第１と第２の被締結部材を締結した状態を示す斜視図であって、（Ｂ）は（Ａ）のＡ−Ａ線に沿う方向の縦断面図である。
【図３】複数のネジ孔を形成した本発明の長手方向締結具により第１と第２の被締結部材を締結した状態を示す斜視図である。
【図４】本発明の長手方向締結具により第１と第２の被締結部材を締結した状態を示す斜視図であって、特に（Ａ）は組立て状態を示す斜視図であり、（Ｂ）は（Ａ）のＡ−Ａ線に沿う方向の縦断面図である。
【図５】（Ａ）は、Ｔ溝が形成された２つの被締結部材を長手方向に締結するのに、従来の締結手段の1つにより締結した場合の締結状態説明図であり、（Ｂ）は（Ａ）のＡ−Ａ線に沿う方向の縦断面図である。
【符号の説明】
１  第１の被締結部材
３ａ  係合溝
３ｂ  ネジ取付用開口溝
４  突合せ面
５  ネジ受け凹部
６  第２の被締結部材
８ａ  係合溝
８ｂ  ネジ取付用開口溝
９  突合せ面
１０  ネジ受け凹部
１１  長手方向締結具
１３  第１のネジ孔
１４  第２のネジ孔
１５  第１の止めネジ
１６  第２の止めネジ
１７  ネジ取付用開口部
１８  傾斜面
１９  開口部挿入片
【図１】
2006183674.tif 000003
【図２】
2006183674.tif 000004
【図３】
2006183674.tif 000005
【図４】
2006183674.tif 000006
【図５】
2006183674.tif 000007